(57)【要約】      （修正有）【課題】時計、情報端末器等の挿入機器のリストバンドへの固定装置の構成要素として、挿入機器外周側面に巻き付けてある帯状ラバーが経年劣化し、または損傷を惹起する不都合を解消し、あるいは他の固定装置に採用されている、弾性変形自在なクリンプ爪を併設した収納容器の構築、又はバネッタ式取り付け装置の構築に、それぞれ必要な高度で複雑な生産技術、製造工程の非経済性を解消する平易で日常的な固定装置を提供する。【解決手段】挿入機器４ａの外周上部突端部４ｂの下部側面に凸状蠕動型ネジ山２ａを施設し、基体１ａの貫通穴に施設された収納容器の内周側面には凹状蠕動型ネジ溝を施設し、挿入機器の外周上部の突端部を指先で蠕動回転させながら上下移動をさせ、着脱の反復操作の安易で長期的に安定した実施を可能とし、且つ挿入機器の位置決めと、回転係止及び解除のできる平易で安価な着脱可能な日常的な固定装置。【選択図】図３
2017077444.tif 000002
【特許請求の範囲】
【請求項１】
時計、宝飾品、ＬＥＤライト、防虫器具、ピルケース、健康値測定器、運動値測定器、スコアカウンター、センサー類、ＧＰＳ端末、受発信端末器、その他電子機器の単体又は複合体を搭載した単一又は複数の挿入機器を布製及び蓄光性を帯びた素材製のリストバンド、ヘアバンド、ストラップ、グローブ、帽子、ソックス、バッグ類、その他身の回り品、衣服類の基体の単一又は複数の貫通穴に施設された単一又は複数の収納容器に着脱の反復操作を平易に実施するために、収納容器の内周側面に凹状の蠕動型ネジ溝を施設し、一方挿入機器の外周部突端部分の下方外周側面に凸状の蠕動型ネジ山を施設し、挿入機器上部の外周部突端部分を指先で蠕動回転させながらの上下移動により、収納容器からの日常的で頻繁な着脱の反復操作を平易に実施し、挿入機器を取り出し、使用中の基体に付着した汗、匂い又は汚れを洗濯水等ですすぎ落とし、そのまま乾燥させ基体の清潔さ及び美的外観を常時維持し、挿入機器が電池を使用の場合その電池交換も着脱操作で容易にできる固定装置。
【請求項２】
上述の基体の貫通穴に施設される収納容器の上部開放部平面の１２時及び６時位置に施設された小さく滑らかな仕上げの凸状半球体突出部と、挿入機器の外周上部の突端部分下方底面に施設された１２時及び６時位置の滑らかでやや大きめの小さな凹状半球体空間の双方に、挿入機器の蠕動回転で回転嵌合させ同時に収納容器との間での位置決めと回転係止及び解除を平易に、且つ日常的に実施できる着脱自在な機能を有する請求項１に記載された固定装置。
【請求項３】
歩度計量計、カロリー消費計、その他の運動値測定機器、心拍計、血圧計、その他の健康値測定機器、ＧＰＳ端末器、スコアカウンター、時計、ストップウオッチ、宝飾品、防虫器具、ピルケース、ＬＥＤライト、情報受発信端末器、充電機器、バッテリー及びその他の電子機器を単体又は複合体で搭載した単一又は複数の挿入機器を、消費者の使用目的に応じて布製又は蓄光性を帯びた素材製のリストバンド、ヘアー・バンド、グローブ、ソックス、ストラップ、帽子、バッグ類、その他身の回り品、及び衣服類の基体の単一又は複数の貫通穴に施設された単一又は複数の収納容器に平易に、且つ日常的に着脱が自在に実施でき、消費者の健康維持及び増進及び安心・安全生活の向上増幅のための社会厚生上の要請に貢献できる請求項１及び２に記載された固定装置。
【請求項４】
請求項１，２、３に記載された固定装置の挿入、着脱を実施する際に、挿入機器を直接消費者の地肌に接触させる必要がある場合、または垂直に長い挿入機器を収納する必要がある場合には、基体の貫通穴に施設された上下２分割構造の収納容器の下部構造の底面が削除されたものを使用し、下部構造の深さを個別に製作調整し、更に挿入機器の側面が時計のリューズのような突起物を持つ場合、その格納空間をそれぞれの挿入機器の外周側面に施設し、それぞれの挿入機器が円滑に蠕動回転し基体の貫通穴に施設された収納容器に挿入、着脱ができる請求項１，２、３、で記載された固定装置。
【請求項５】
厚さの違うそれぞれの基体の貫通穴の切り口とその周囲表裏面に貼着された粘着テープを覆うつば状突出部を上下に持つ収納容器は、その上部つば状突出部の底面に施設された複数の下向き爪を粘着テープに刺し込み固定し、基体からのズレを防止し同時に基体との位置決めを行い、且つ上下２分割構造の収納容器の上部と下部とが相互に重なり合う部分の内周側面にそれぞれ凸凹状のカシメ構造を施設し、基体の貫通穴に２分割構造の収納容器を上下から圧入、カシメ嵌合する方法、又は、２分割構造の収納容器の上部と下部とが相互に重なり合う部分の内周側面にそれぞれ蠕動型雄雌ネジ構造を施設し、基体の貫通穴に施設された収納容器の下部構造を蠕動回転させながらネジ締め嵌合する二つのいずれかの方法で基体に収納容器を施設する請求項１，２，３，４で記載された固定装置。
【発明の詳細な説明】
【技術分野】
【０００１】時計、防虫器具、ＬＥＤライト、ＧＰＳ端末器、電子計器、情報通信端末機器等の単一体又は複合体を搭載した単一又は複数の挿入機器を布製又は蓄光性を帯びた素材製のリストバンド、ストラップ、ソックス、バッグ類その他身の回り品、及び衣服類の基体に施設された上下２分割構造を持つ単一又は複数の収納容器に平易に着脱できる固定装置に関する
【背景技術】
【０００２】リストバンド、ストラップ、その他身の回り品、及び衣服類の基体に施設された単一の収納容器に時計、宝飾品、ＬＥＤ照明灯、スコアカウンター、健康値測量機器、運動値測定器、情報通信端末器又はセンサー類を搭載した挿入機器を着装及び取り出すための各種固定装置はある。（例えば特許文献１、２，３，４参照）
【先行技術文献】
【特許文献】
【０００３】
【特許文献１】  実用新案登録第３１９３６４１号
【特許文献２】  特開平７−２１７６４１
【特許文献３】  実願昭５９−０７１１２２号
【特許文献４】  実願昭６１−０９０９７０号
【発明の概要】
【発明が解決しようとする課題】
【０００４】第一の従来技術（特許文献１参照）の固定装置では時計、宝飾品、ＬＥＤ照明灯、情報受発信端末器等の挿入機器の外周に巻き付けられた弾力性のある帯状ラバーを着脱装置の構成要素としているが、帯状ラバーは素材としての経年劣化による損傷を惹起する不都合、更に、着脱に伴う収納容器との接触摩擦により惹起される摩耗又は損傷を解消とする課題、及び収納容器の切り裂きと時計リューズの嵌合操作のための位置確定が手探りで煩雑あるための非日常性の不都合を解消しようとする課題【０００５】第二の従来技術（特許文献２参照）で開示されている基体を掘削加工しその空間にリングバネと仲介層を埋設し時計体を圧入し固定する方法があるが、高度な掘削加工技術を要し、しかも接着剤で時計体を空間に接着する不確実な固着状態を惹起し、且つ位置決め技術が欠如している不都合を解消しようとする課題、次に開示されている弾性変形自在なクランプ爪とスリットを併設する収納ソケットの構築、及び挿入機器と収納容器にバヨネット式取り付け装置の構築はそれぞれ高度で複雑な技術と製造工程が惹起する非生産性と非経済性の不都合を解消しようとする課題【０００６】第三の従来技術（特許文献３参照）で採用されているネジ式リングでの収納方法での時計体とネジ式リング間の正確な位置決め技術が欠如している不都合、又ネジ式リングの回転係止及び解除技術が欠如している不都合をそれぞれ解消しようとする課題、この従来技術で開示されているつば状突出部が基体からズレ動くのを防止する技術が欠如している不都合及び基体に密着固定する技術が欠如している不都合をそれぞれ解消しようとする課題。【０００７】第四の従来技術（特許文献４）で開示されている基体に施設されている上下２分割された収納部品に時計体を圧入し、着脱する方法の中で、時計体を基体の収納部から取り外す際に専門的なドライバーの先端等を挿入してコジ開ける非日常的な着脱方法が開示されているが、その際には専門的工具と特殊な技術が不可欠とされ、しかもその際に収納容器、時計体の双方に外傷を惹起する弊害を解消し、時計体を収納容器から平易に且つ日常的に着脱できるようにする課題。【０００８】更に従来技術（特許文献１，２，３，４）で開示されている基体に収納容器を施設する方法には厚さの違うそれぞれの基体に施設される収納容器と基体との間の位置決めをする技術が欠如しており、又基体から収納容器がズレ動くのを防止する技術がそれぞれ欠如している不都合を解消しようとする課題。
【課題を解決するための手段】
【０００９】本発明においては、基体の貫通穴と周辺部に施設される単一又は複数の上下２分割構造の収納容器上部構造の内周側面に凹状の蠕動型ネジ溝を施設し、時計、宝飾品、ＬＥＤ照明灯、防虫器具、スコアカウンター、健康値測定器、運動値測定器、センサー類又は情報受発信端末器等を単一又は複数搭載した挿入機器の外周上部の突端部分の下部外周側面に凸状の蠕動型ネジ山を施設し、それぞれの挿入機器の外周上部の突端部分を指先による蠕動回転で上下移動させながら基体の単一又は複数個所の貫通穴と周辺部に施設される単一又は複数の上下２分割構造の収納容器に平易な着脱の反復操作が日常的にできる低コストの固定装置を構築する。【００１０】そして本発明品が室内外でのフィットネス、ランニング、ウオーキング、キャンピング等の健康増進のための活動、またはテニス、ゴルフ等のスポーツ活動に使用される場合、布製又は蓄光性を帯びた素材製のリストバンド、ヘアバンド、グローブ、帽子、ソックス、ストラップ、バッグ類、その他身の回り品、及び衣服類の基体に付着した汗、匂い又は汚れ等を日常的に取り除くために、それぞれの挿入機器を基体のそれぞれの収納容器から滑らかな蠕動回転の操作により平易に取り外し、基体を洗濯水等ですすぎ、乾燥させることにより常時基体を清潔に保ちながらその美的外観を損なわず消費者が長く、又日常的に使用でき、着脱に際し蠕動回転の操作で挿入機器と基体間の位置決めと係止嵌合及び解除を安易に実施できる日常的な固定装置を構築する。【００１１】更に本発明品は、基体の貫通穴と周辺部に施設された上下につば状突出部を持った２分割構造の収納容器にそれぞれの挿入機器を挿入可能な形状に仕上げ、消費者は同一基体の単数又は複数の貫通穴に施設された単数又は複数の収納容器に、その使用目的別に該当する単数又は複数の挿入機器を随時選択、着脱できる。例えば、ＬＥＤライト、ピルケース、防虫器具、歩度計測器、心拍計測器、血圧検索機、カロリー消費計測器、センサー類、ＧＰＳ端末、スコアカウンター、ストップウオッチ、その他情報受発信端末等の単一器又は複合器を搭載した単数又は複数の挿入機器をＴＰＯに応じて選択し、平易に着脱ができ、多様な用途別の使用を提供できる日常的で新しい技術を構築する。【００１２】本発明の効果を向上させるために、基体を覆う上下につば状突出部を持った２分割構造の収納容器の上部構造のつば状突出部の底面に施設した複数の爪を、貫通穴の切り口と周囲表裏面を切り口の端布がほつれるのを防止するために貼着された粘着テープに刺し込み、基体と収納容器を密着固定させ、同時に収納容器が基体からズレ動くのを防止し、基体と収納容器の位置決めをする技術を構築する。【００１３】更に本発明の効果を向上させるために、基体を覆う収納容器の上部つば状突出部の開口部平面の１２時及び６時位置に施設された小型半球体の滑らかな仕上の突出部分と、挿入機器外周上部の突端部分の下方部底面の１２時及び６時位置に設置された収納容器の突出部分よりも僅かに大きい半球体の滑らかな仕上げの凹状空間とを挿入機器を蠕動回転させながら回転嵌合させ、挿入機器と収納容器との間での回転係止及び解除と同時に挿入機器と収納容器間の位置決めを平易に操作し、円滑に着脱操作する新しい技術は従来技術（特許文献１，２，３，４を参照）が持つ煩雑な着脱方法を回避し、日常的で平易な固定装置を新しく構築する【００１４】また本発明は、従来技術１、２，３，４（特許文献１，２，３，４参照）で開示されている収納容器の基体への施設方法とは異なり、新たに基体の貫通穴と周辺部に施設された基体の貫通穴と周辺部の上下を覆うつば突出部を持つ収納容器を上部構造と下部構造に２分割し、上部構造と下部構造が相互に重なり合うそれぞれの内周側面に凸凹のカシメ構造を施設し、基体の貫通穴に２分割構造の収納容器を上下からカシメ嵌合し両者を平易に密着固定させる方法と、同様に収納容器の上部構造と下部構造が相互に重なり合うそれぞれの内周側面に蠕動型雄雌のネジ構造を施設し、下部構造を蠕動回転でネジ締め嵌合し、両者を平易に密着固定させる日常的な方法を構築する。
【発明の効果】
【００１５】上述したように本発明の新しいシステムは、従来技術１（特許文献１）で採用されている固定装置の構成要素として挿入機器に使用されている弾力性のある帯状ラバーが経年劣化で惹起する損傷、及び圧入、引張り出しによる着脱の煩雑な反復操作で惹起する損傷，又は摩擦により惹起する摩耗及び損傷の課題を解消し、時計リュウズを収納容器の切り裂きに適合挿入させる手探り操作の煩雑で困難な非日常性課題を解消する固定装置の発明効果を提案できる。【００１６】更に本発明は、従来技術２（特許文献２参照）で採用されている固定装置の構成要素である弾性変形自在なクランプ爪とスリットを併設するソケット収納器の構築、及びバヨネッタ式取り付け装置を挿入機器と収納容器両者に構築する際にそれぞれ高度で複雑な技術と製造工程及び素材の合成と形成を惹起する非生産性及び非経済性の課題を解消し、基体の一部に煩雑な掘削を加工しその空間に介在層とリングバネを別途用意して挿入機器をその空間に位置決め機能を欠いた状態で圧入する不都合な課題を解消し、及び接着材等の接着で惹起される接着強度の不足と経年劣化を惹起する不安定性な接着の不都合な課題を解消する固定装置の発明効果を新たに提供する。【００１７】更に、布製及び蓄光性を帯びた素材製のリストバンド、ヘアバンド、グローブ、ストラップ、帽子、ソックス、バッグ類その他身の回り品、及び衣服類の基体の貫通穴と周辺部に施設された収納容器から挿入機器を平易に取り出し、日常的な使用で付着した汗、匂い又は汚れを基体からすすぎ落とし、その乾燥を日常的な操作として平易に実施し、消費者に基体としての清潔さと美的外観を常時平易に維持が可能な発明効果を提案できる。【００１８】本発明は、消費者の多様な挿入機器の使用目的に応じて、厚さの違うそれぞれの基体の貫通穴に施設された単一又は複数の収納容器に挿入、着脱できる形状に挿入機器にそれぞれ仕上げ、消費者が多様化するライフ・シーンに合わせて挿入機器と収納容器をそれぞれ選択しそれぞれが平易に着脱ができ、消費者の豊かなライフ・シーンの拡大に自在に適応できる発明効果を提案できる。なお挿入機器を地肌に直接接触させる必要性がある場合、又は垂直に長い挿入機器の場合には、基体の貫通穴に施設された上下２分割構造の収納容器の下部構造の深さを個別に調整製作しそれぞれに対応できる発明効果も提案できる。【００１９】本発明により、それぞれの挿入機器の外周上部の突端部分を指先で蠕動回転させ、基体の貫通穴の切り口と周辺部に貼着された粘着テープ上に基体を覆う収納容器の上部構造のつば状突出部の底面に施設された複数のズレ止め爪で刺し入れ固着された収納容器から上下移動させ平易な着脱を実施し、更に、挿入機器と収納容器との位置決めをし、挿入機器の回転係止及び解除とを実施できる発明効果を提案できる。【００２０】本発明は、従来技術１、２，３，４（特許文献１，２，３，４）での収納容器を基体に施設する方法とは異なり、厚さの違うそれぞれの基体の貫通穴と周辺部に施設された基体の上下を覆う収納容器を上下に２分割し、上部構造と下部構造とが相互密着し重なり合うそれぞれの内周側面を凸凹状のカシメ構造とし、基体の貫通穴に２分割構造の収納容器を上下から圧入しカシメ嵌合させる平易で高い生産性の施設方法と、同様に上部構造と下部構造とが相互密着し重なり合うそれぞれの内周側面に蠕動型雄雌のネジ締め構造を施設し、上下から蠕動ネジ締め嵌合し基体に収納容器を施設する方法を提案し、更に下部構造の深さを個別に調整製作し、厚さの違うそれぞれの基体に柔軟に対応できる収納容器の新たな開発、実施が提案できる。
【産業上の利用可能性】
【００２１】本発明は、汗拭きとして便利な布製又は蓄光性を帯びた素材製のリストバンド、ヘア・バンド、グローブ、ストラップ、帽子、ソックス、その他身の回り品、及び衣服類のそれぞれ厚さの違う基体の貫通穴に施設された単一又は複数の収納容器に健康値測定器、運動値測定器、スコアカウンター、情報通信端末器、その他電子機器類、ＧＰＳ端末、電源装置を単体又は複合体で搭載した単一又は複数の挿入機器を自在に着脱でき、消費者に使用用途の広い利便性を提供し、消費者の健康生活向上に貢献できる平易で安価な新製品の製造及び製品普及が可能となり、日常性が高く幅広い効果を期待できる産業上の利点を提案できる。
【図面の簡単な説明】
【００２２】
【図１】本発明の実施形態の一例を示す時計体を布製リストバンドに収納した完成品の斜方向からの立体外観図である
【図２】同じく時計体を布製リストバンドに収納した完成品の正面外観図である。
【図３】布製リストバンドの円形貫通穴の切り口と周辺部の周囲表裏面に粘着テープを貼着し、切り口の布端ほつれを防止し、上下２分割構造の円形収納容器上下に施設されたつば状突出部が時計体を覆い収納した状態の側面からの断面図である
【図４】基体の円形貫通穴に施設された円形収納容器の内周面に蠕動型凹状ネジ溝を施設し、一方の時計体上部の突出部の下方外周側面に蠕動型凸状ネジ山を施設し、時計体が蠕動回転で円形収納容器から着脱できる固定装置の側面断面図
【図５】時計体の外周部上部の突出部底面に半球体の凹状空間を１２時と６時位置に施設し、一方円形収納容器上部の開口部平面に半球体の凸状突出部を１２時と６時位置に施設し、時計体が円形収納容器に着脱される際の位置決め及び回転係止と解除を可能とする固定装置の側面断面図
【図６】円形収納容器上部の開口部平面に半球体の凸状突出部を１２時と６時位置した平面図
【図７】時計のリューズを格納する時計体の外周側面図
【図８】上下２分割構造の円形収納容器の上部構造と下部構造の重なり合う相互の内周側面にカシメ構造を施設した円形収納容器の側面断面図
【図９】上下２分割構造の円形収納容器の上部構造と下部構造の重なり合う相互の内周側面に蠕動型ネジ構造を施設した円形収納容器の側面断面図
【図１０】基体の円形貫通穴と周辺部を覆う上下２分割構造の円形収納容器上部のつば状突出部の底面に施設された基体とのズレを防止し、基体に固定させるために施設された複数の爪の側面断面図
【発明を実施するための形態】
【００２３】以下、本発明の実施の形態を図１〜図９に基づいて説明する。
【００２４】図１において、布製リストバンドの基体１ａの円形貫通穴１ｂ（図示されず）に施設された円形収納容器２（図示されず）に時計体４ａとその外周部上部突端部４ｂを収納した斜方向からの全体の立体外観図である。
【００２５】図２において、布製リストバンドの基体１ａの円形貫通穴１ｂ（図示なし）に施設された円形収納容器２（図示されず）に時計体４ａとその外周部上部突端部４ｂが収納された正面からの全体の外観図である。
【００２６】図３に於いて、布製リストバンドの基体１ａの円形貫通穴１ｂ（図示されず）の切り口と周辺部の周囲表裏面に粘着テープ１ｃを貼着し基体１ａの円形貫通穴１ｂ（図示されず）の切り口の布端のほつれを防止し、上下に２分割された円形収納容器２（図示されず）の上部構造及び下部構造にそれぞれ施設されたつば状突出部２ａで基体１ａを覆い固め、円形貫通穴１ｂ（図示されず）に２分割構造の円形収納容器２（図示されず）を上下から施設し、時計体４ａを収納した全体側面の外観図である。
【００２７】図４において、時計体４ａの外周上部突端部４ｂの下部外周側面４ｃに凸状の蠕動型ネジ山４ｄを施設し、一方の円形収納容器内周側面２ｆに凹状の蠕動型ネジ溝２ｊを施設し、時計体４ａの蠕動回転で時計体４ａの上下移動を惹起し、時計体４ａの基体１ａに施設された円形収納容器２からの平易な着脱が可能な固定装置の側面断面図である。
【００２８】図５において、時計体４ａの外周上部突端部４ｂの下方底面部４ｅに滑らかな小さな半球体の凹状空間４ｆを１２時と６時位置に施設し、一方の円形収納容器外周部上部の開放部平面２ｄに滑らかなやや小さな半球体の凸状突出部２ｅを１２時と６時位置に施設し上下の凸凹状半球体の回転嵌合により、時計体４ａと円形収納容器２と間の位置決めと時計体４ａの回転係止及び解除を平易に且つ日常的に可能とする固定装置の断面図である。
【００２９】図６に於いて、円形収納容器外周部上部のつば状突出部２ａの開放部平面２ｄに滑らかな仕上げのやや小さな半球体の凸状突出部２ｅを１２時位置と６時位置に施設した平面図である。図示されていないが円形収納容器内周側面２ｆに施設された蠕動型凹状ネジ溝２ｊを点線で示し、同時に円形収納容器外周部上部のつば状突出部２ａの下方に位置する貫通穴１ｂの切り口と周辺部に貼着された粘着テープ１ｃを点線で示した平面図である。
【００３０】図７において、時計体４ａの外周突端部４ｂの下方外周側面に突出しているリューズ５ａを格納する凹状空間５ｂを時計体の外周側面に施設し、時計体４ａが円滑な蠕動回転をするための固定装置の側面の断面図である。
【００３１】図７に於いては、上下２分割構造の円形収納容器２の下部内周側面のカシメ構造の凸状飛び出し部分６ａと相互に重なり合う円形収納容器２の上部内周側面のカシメ構造の凹状へ込み部分６ｂとで、厚さの違う基体１ａに施設された円形貫通穴１ｂの上下から２分割された円形収納容器２の上部つば状突出部２ａと下部つば状突出部２ｃとを圧入カシメ嵌合し、固着させた円形収納容器の側面の断面図である。
【００３２】図８に於いては、上下２分割構造の円形収納容器２の上部内周側面に施設された蠕動型の凹状ネジ溝７ｂと相互に重なり合う円形収納容器２の下部内周側面に施設された蠕動型の凸状ネジ山７ａとで、厚さの違う基体１ａに施設された円形貫通穴１ｂの上下から２分割された円形収納容器２下部に施設された基体１ａを覆い固定するためのつば状突出部分２ｃを蠕動回転しネジ締め嵌合し基体１ａに密着固定させた円形収納容器２の側面の断面図である。
【００３３】図９に於いては、上下２分割された円形収納容器２上部のつば状突出部の底面に施設された複数の爪２ｂを基体１ａの円形貫通穴１ｂの切り口とその周囲表裏面に貼着された粘着テープ１ｃに刺し込み固定させ基体１ａとの位置決めをし、円形収納容器２が基体１ａからズレ動くのを防止する構造の側面断面図である
【符号の説明】
【００３４】１ａ…基体
１ｂ…基体の円形貫通穴
１ｃ−基体の円形貫通穴の切り口と周辺部の周囲表裏面に貼着された粘着テープ
２――円形収納容器
２ａ…円形収納容器上部に施設された基体を覆い固定するためのつば状突出部分
２ｂ…円形収納容器上部に施設されたつば状突出部分の底面に施設された基体から収納容      器がズレ動くのを防止し、位置決めをする複数の爪
２ｃ…円形収納容器下部に施設された基体を覆い固定するためのつば状突出部分
２ｄ…円形収納容器上部の外周開放部の平面
２ｅ――収納容器上部の外周開放部の平面に施設された小さな凸状半球体の突出部分
２ｆ…収納容器内周側面
２ｊ…収納容器内周側面に施設された凹状蠕動型ネジ溝
４ａ…時計体
４ｂ−時計体の外周部上部突端部
４ｃ…時計体の外周部上部突端部の下方外周側面
４ｄ…時計体の外周部上部突端部の下方外周側面に施設された蠕動型凸状ネジ山
４ｅ…時計体の外周部上部突端部の下方底面
４ｆ−時計体の外周部上部突端部の下方底面に施設された凹状半球体空間
５ａ…時計体に付随するリューズ
５ｂ…時計体の外周部上部突端部の下方側面に施設されたリューズ格納空間
６ａ…２分割された収納容器下部内周側面のカシメ構造の凸状飛び出し部分
６ｂ…２分割された収納容器上部内周側面のカシメ構造の凹状へ込み部分
７ａ…２分割された収納容器下部内周側面の蠕動型凸状ネジ山部分
７ｂ…２分割された収納容器上部内周側面の蠕動型凹状ネジ溝部分
【図１】
2017077444.tif 000003
【図２】
2017077444.tif 000004
【図３】
2017077444.tif 000005
【図４】
2017077444.tif 000006
【図５】
2017077444.tif 000007
【図６】
2017077444.tif 000008
【図７】
2017077444.tif 000009
【図８】
2017077444.tif 000010
【図９】
2017077444.tif 000011
【図１０】
2017077444.tif 000012